(57)【特許請求の範囲】
【請求項１】
抗菌・消臭・吸着性の成分が紙に抄き込まれている皮膚の脂取り・汚れ取り用紙製品であって、
該成分は粘土鉱物と混合されて５００℃を超える温度で炭化された植物性繊維質の炭化物の粉砕された粉体であり、該成分が紙に抄き込まれていることにより、肌触りの良い薄手のものであるとともに抗菌・消臭・吸着を行うことを特徴とする、皮膚の脂取り・汚れ取り用紙製品。
【請求項２】
前記炭化物は、植物性繊維質原料が少なくとも５ｃｍ角以下の形状に整えられ、水分含量が３０〜８０％に整えられ、粘土鉱物が１０〜４０％添加されて後、炭化されていることを特徴とする、請求項１に記載の皮膚の脂取り・汚れ取り用紙製品。
【請求項３】
前記炭化物は、最終温度が９００℃になるようにして炭化されていることを特徴とする、請求項１または２に記載の皮膚の脂取り・汚れ取り用紙製品。
【請求項４】
前記粉体は、５０〜２００メッシュに粒度が調整されていることを特徴とする、請求項１〜３のいずれかに記載の皮膚の脂取り・汚れ取り用紙製品。
【請求項５】
前記粉体は、８０〜１５０メッシュに粒度が調整されていることを特徴とする、請求項４に記載の皮膚の脂取り・汚れ取り用紙製品。
【請求項６】
前記成分は、前記粉体とタケ科ササ属の笹から得られる笹成分とが共に使用されているものであることを特徴とする、請求項１〜５のいずれかに記載の皮膚の脂取り・汚れ取り用紙製品。
【請求項７】
前記タケ科ササ属の笹から得られる笹成分は、タケ科ササ属の笹をそのまま、あるいは乾燥し、水抽出、熱水抽出、有機溶媒抽出、圧搾抽出、アルカリ分解抽出、爆砕抽出、発酵分解抽出、酵素分解抽出及び微生物分解抽出から選ばれた少なくとも１種の抽出処理を施すことによって得られる抽出物成分及び／又は抽出残渣物の粉砕物成分であることを特徴とする、請求項６記載の皮膚の脂取り・汚れ取り用紙製品。
【請求項８】
前記抽出残渣物の粉砕物は、５０〜２００メッシュに粒度が調整されていることを特徴とする、請求項７に記載の皮膚の脂取り・汚れ取り用紙製品。
【請求項９】
前記炭化物は、タケ科ササ属の笹の茎、地下茎、葉及びそれらを抽出処理して得られる抽出残渣物から選ばれた少なくとも１種の植物性繊維質を炭化して得られる炭化物であることを特徴とする、請求項６〜８のいずれかに記載の皮膚の脂取り・汚れ取り用紙製品。
【発明の詳細な説明】
【０００１】
【発明の属する技術分野】
この発明は、抗菌・消臭・吸着機能を持つ、皮膚の脂取り・汚れ取り用の紙製品及びその製造法に関するものである。
【０００２】
【従来の技術】
人の顔面表皮上では皮脂の分泌が盛んで、特に額や鼻などいわゆるＴゾーンは脂っぽくなりやすい。たとえば女性が化粧をする際に、分泌された皮脂をそのままにしておくと、化粧崩れやテカリ・べたつきの原因となり、またそのままでは化粧料がなじまないため、脂取り紙などで皮脂を取り除いて化粧直しを行う必要がある。また、皮脂中の遊離脂肪酸は肌荒れを起こす原因となることが知られており、一般的に皮脂をそのままにしておくと肌荒れ、にきび、老化を促進するといわれている。さらに、最近の清潔志向もあって、肌のテカリ・べたつきを嫌う男性などにも脂取り紙は使用されているように、年齢・性別を問わず広く使用されるようになってきている。
【０００３】
化粧用脂取り紙としては、古くから箔打ち紙が使用されてきた。この箔打ち紙は、三椏や楮・雁皮などに泥を加えて作成した紙を、柿渋や卵・泥などを混合した液に浸して紙のみうち延ばし、さらに液に浸しながら何度も箔打ちを繰り返して作成される。この箔打ち紙はふるや紙とも呼ばれ、高密度で薄く平坦な紙である。このふるや紙は皮脂の吸収がよいとされているが、非常に高価である。
【０００４】
近年、皮脂取り紙の需要に対応して、このふるや紙を真似たさまざまな脂取り紙が製造されるようになってきた。これらの紙としては、植物繊維パルプに填料、たとえばタルク、カオリンなどを添加し、定着剤にて定着させて、抄紙後、カレンダー処理を行うことで高密度化及び平滑化させたものが商品化されている。
【０００５】
しかし、従来から出回っている前記したような脂取り紙にはほとんど抗菌性は認められない。脂取り紙は主に顔の皮膚に直接接触させて使用するものであるから、脂取り紙に菌が付着しているなどの原因で、肌が荒れたり、あるいは何らかの皮膚病が発生したりすることがあればはなはだ問題である。そのような菌の付着によって生じる問題を抗菌剤の使用によって防ぐことが考えられるが、通常、市販されていて入手できる抗菌剤は、銀、銅など金属や有機溶媒を含んでいたりするので安全性・使用感の面から、脂取り紙に添加するのは難しい。
【０００６】
また、顔面は皮脂だけでなく汗の分泌も激しく、皮脂や汗に汚れが付着したり、皮脂の酸化物や汗の分解物も発生するので、脂取り・汚れ取り用紙製品にはこれらの汚れを除去する機能も望まれるが、従来の脂取り紙では汚れ除去効果が十分でない。さらに、皮脂や汗の酸化分解によって、アンモニアや尿素のような不快臭が発生することもあり、近年の清潔指向から、脂取り・汚れ取り紙を使用する場合はこれらの原因物質である皮脂や汗の除去と共に不快臭自体の消臭も望まれているが、従来の脂取り紙では、消臭効果は殆ど期待できない。
【０００７】
また、皮脂や汗の分泌はなにも顔面に限ったものではなく、皮脂や汗は首筋や背中、脇の下など全身で分泌されているので、肌全体の清浄を保つために、これらの全身の皮脂や汗の除去およびそれに付随する汚れや不快臭の除去に使用できる皮膚用の脂取り・汚れ取り紙が望まれている。
【０００８】
【発明が解決しようとする課題】
上記したように、従来の技術では顔面あるいは全身の皮脂や汗、およびそれに付随する汚れ、分解物や不快臭などを効率的に除去することが難しい。
本発明は、顔面あるいは全身の皮脂や汗、汚れ、不快臭を除去することができる消臭・抗菌・吸着効果を持つ、皮膚用の脂取り・汚れ取りのための紙製品を提供することを目的とするものである。
【０００９】
【課題を解決するための手段】
本発明は、古来から生活の中で利用されている、笹及び／又は炭化物の消臭・抗菌・吸着効果を皮膚の脂取り・汚れ取りのための紙製品に利用することを重要な特徴とする、消臭・抗菌・吸着効果を持つ皮膚の脂取り・汚れ取りのための紙製品を提供するものである。
【００１０】
笹は、葉緑素、多糖体、リグニン、ミネラルなどの有効成分を豊富に含んでいて、それらによるその抗菌作用、消臭作用、血液浄化作用、免疫賦活作用などのさまざまな作用が知られており、笹団子や笹鮨など古来より生活のさまざまな場面で使用されてきているし、また、その加工品は医薬品・健康食品としても広く用いられてきている。しかしながら、その抗菌・消臭・吸着効果を皮膚の脂取り・汚れ取りのための紙製品に使用した例は知られていない。そこで本発明者らは研究を重ねて、笹を様々に加工し、その結果、笹から得られる各種成分を配合して紙製品を製造することにより、皮膚の脂取り・汚れ取り用抗菌・消臭・吸着性紙製品を製造することに成功したものである。
【００１１】
さらに、木炭で代表される各種植物性繊維質の炭化物も燃料としての用途以外に、遠赤外線効果や浄水効果などの効果を利用し、生活のさまざまな場面で使用されていることから、これらの炭化物をも皮膚の脂取り・汚れ取りのための紙製品の製造に利用しようとしたものである。近年、粉砕した炭を不織布にくるんだり、樹脂で繊維に付着させるような技術も開発されており、これらの技術によれば炭化物粉末を様々な材料に担持させることが可能であるが、これらの技術では、皮膚の脂取り・汚れ取りに適した、肌触りの良い薄手の紙製品は製造できないし、繊維に付着させるためののりを使用すれば、逆に炭の細孔も覆ってしまい、十分消臭・吸着効果が発揮できないなどの問題点があった。
【００１２】
そこで本発明では、炭の効果をより強力にするために、ゼオライトやモンモリロナイト、ベントナイトなどの粘度鉱物を配合して炭化した粘度鉱物配合炭を粉砕して紙に抄き込むことにより、消臭・抗菌・吸着効果を十分発揮できる皮膚の脂取り・汚れ取り用紙製品としての利用に適した肌触りを備えた紙製品の製造に成功した作成を行ったものである。
本発明は、以下の各発明を内包する。
【００１３】
(1) タケ科ササ属の笹から得られる笹成分及び／又は植物性繊維質の炭化物成分が配合されていることを特徴とする、皮膚の脂取り・汚れ取り用抗菌・消臭・吸着性紙製品。
【００１４】
(2) 前記タケ科ササ属の笹から得られる笹成分は、タケ科ササ属の笹から得られる水溶性金属クロロフィリンアルカリ金属塩を含有する笹成分であることを特徴とする、(1) 項記載の皮膚の脂取り・汚れ取り用抗菌・消臭・吸着性紙製品。
【００１５】
(3) 前記タケ科ササ属の笹から得られる笹成分は、タケ科ササ属の笹をそのまま、あるいは乾燥し、水抽出、熱水抽出、有機溶媒抽出、圧搾抽出、アルカリ分解抽出、爆砕抽出、発酵分解抽出、酵素分解抽出及び微生物分解抽出から選ばれた少なくとも１種の抽出処理を施すことによって得られる抽出物成分及び／又は抽出残渣物の粉砕物成分であることを特徴とする、(1) 項又は(2) 項に記載の皮膚の脂取り・汚れ取り用抗菌・消臭・吸着性紙製品。
【００１６】
(4) 前記タケ科ササ属の笹から得られる笹成分は、タケ科ササ属の笹に対して、その中に含まれるクロロフィル化合物のマグネシウムイオンを錯化能を有する金属化合物の金属イオンで置換する処理を施し、ついでアルカリ加水分解処理をして生成した水溶性金属クロロフィリンアルカリ金属塩を抽出して得られる抽出物成分及び／又は抽出残渣物成分であることを特徴とする(1) 項又は(2) 項に記載の皮膚の脂取り・汚れ取り用抗菌・消臭・吸着性紙製品。
(5) 前記錯化能を有する金属化合物は、鉄、銅、ニッケル、アルミニウム、コバルト及びバナジウムの各化合物から選ばれた少なくとも１種の錯化能を有する金属化合物であることを特徴とする前記(4) 項に記載の皮膚の脂取り・汚れ取り用抗菌・消臭・吸着性紙製品。
【００１７】
(6) 前記植物性繊維質の炭化物成分は、木本性植物性繊維質及び／又は草本性植物性繊維質を炭化して得られる炭化物であることを特徴とする、(1) 項〜(4) のいずれかに記載の皮膚の脂取り・汚れ取り用抗菌・消臭・吸着性紙製品。
(6) 前記植物性繊維質の炭化物成分は、タケ科ササ属の笹の茎、地下茎、葉及びそれらを抽出処理して得られる抽出残渣物から選ばれた少なくとも１種の植物性繊維質を炭化して得られる炭化物であることを特徴とする、(1) 項〜(4) のいずれかに記載の皮膚の脂取り・汚れ取り用抗菌・消臭・吸着性紙製品。
【００１８】
(7) 前記植物性繊維質の炭化物成分は、粘土鉱物を添加した植物性繊維質を炭化して得られる炭化物であることを特徴とする、(1) 項〜(6) 項のいずれかに記載の皮膚の脂取り・汚れ取り用抗菌・消臭・吸着性紙製品。
(8) 前記粘土鉱物は、ゼオラオト、ベントナイト及びモンモリロナイトから選ばれた少なくとも１種であることを特徴とする、(7) 項記載の皮膚の脂取り・汚れ取り用抗菌・消臭・吸着性紙製品。
【００１９】
(9) 前記植物性繊維質の炭化物成分は、木材、竹材、稲わら、麦わら、コーヒー豆粕、パルプカス及びおからから選ばれた少なくとも１種の植物性繊維質に粘土鉱物を添加して炭化して得られる炭化物からなることを特徴とする、(1) 項〜(4) 項のいずれかに記載の皮膚の脂取り・汚れ取り用抗菌・消臭・吸着性紙製品。
【００２０】
(10)紙原料として楮、三椏、雁皮、マニラ麻、ケナフ、バガス、木材パルプなどの植物繊維の少なくとも１種を使用して抄紙することによって製造されていることを特徴とする、前記(1) 〜(9) 項のいずれかに記載の皮膚の脂取り・汚れ取り用抗菌・消臭・吸着性紙製品。
【００２１】
(11)前記紙原料は、さらにシルクや毛糸など動物性繊維質を少なくとも１種以上含有することを特徴とする前記(10)項記載の皮膚の脂取り・汚れ取り用抗菌・消臭・吸着性紙製品。
【００２２】
【発明の実施の形態】
本発明の皮膚の脂取り・汚れ取り用抗菌・消臭・吸着性紙製品に配合される笹成分又は炭化物成分としては、つぎの各成分が各単独又は複数を任意に組み合わされて使用される。
【００２３】
(1) タケ科ササ属の笹の葉、茎、地下茎をそのまま、あるいは乾燥して粉砕した粉砕物。
(2) タケ科ササ属の笹の葉、茎、地下茎をそのまま、あるいは乾燥し、粉砕したのち、水抽出、熱水抽出、有機溶媒抽出、圧搾抽出、アルカリ分解抽出、爆砕抽出、発酵分解抽出、酵素分解抽出及び微生物分解抽出などから選ばれた少なくとも１種の抽出処理することによって得られる抽出成分及び／又は抽出残渣物成分の粉砕物からなる笹成分。
【００２４】
(3) タケ科ササ属の笹の葉、茎、地下茎に含まれるクロロフィル化合物のマグネシウムイオンを、鉄、銅、ニッケル、アルミニウム、コバルト、バナジウムなどの錯化能を有する金属化合物の金属イオンで置換する処理を施したもの、又は、引き続いてさらにアルカリ加水分解処理が施されたものを粉砕した笹成分。
【００２５】
(4) タケ科ササ属の笹の葉、茎、地下茎に含まれるクロロフィル化合物のマグネシウムイオンを、鉄、銅、ニッケル、アルミニウム、コバルト、バナジウムなどの錯化能を有する金属化合物の金属イオンで置換する処理を施したものから、引き続いて、さらにアルカリ性水溶液で水溶性金属クロロフィリンアルカリ金属塩を加熱抽出して得た抽出成分、又は抽出残渣物成分を粉砕した粉砕物からなる笹成分。
【００２６】
(5) タケ科ササ属の笹の葉、茎、地下茎、その各種抽出処理残渣物、それらのクロロフィル化合物を金属イオン置換して生成する水溶性金属クロロフィリンアルカリ金属塩をアルカリ水溶液で加熱抽出した抽出残渣物に、たとえばゼオライト、ベントナイト、モンモリロナイトのような粘土鉱物を添加して炭化することによって得られる炭化物を粉砕してなる笹成分。
【００２７】
木材、竹材、稲わら、麦わらなどの木本性、又は草本性の植物繊維質を炭化して得られる炭化物成分。
【００２８】
コーヒー豆粕、パルプカス、おからなどの植物性廃棄物の炭化物から選ばれた少なくとも１種の炭化物成分。
【００２９】
タケ科ササ属の笹の葉、茎、地下茎、その各種抽出処理残渣物からなる植物性繊維質を炭化して得られる炭化物成分。
【００３０】
前記各種の植物性繊維質に粘土鉱物、たとえば、ゼオライト、ベントナイト、モンモリロナイトなどの粘土鉱物を加えて炭化して得られる炭化物成分。
【００３１】
前記の笹成分及び／又は植物性繊維質の炭化物成分を配合する紙原料としては、楮、三椏、雁皮、マニラ麻、ケナフ、バガス、木材パルプなどの植物繊維の少なくとも１種が使用され、該紙原料に笹成分及び／又は植物性繊維質の炭化物成分を配合して抄紙することによって紙製品が製造される。
また、該紙原料には、さらにシルクや毛糸など動物性繊維質を添加することができる。
【００３２】
笹成分及び／又は炭化物成分を配合した紙原料から笹成分や炭化物成分配合紙を製造する方法は、手漉き法、機械漉き法のいずれであってもよい。
笹成分は液体であるか、粉末状であるので、紙原料スラリー中に添加混合定着させて通常の抄紙機によって抄紙することによって製造することができる。また、粉砕物として粗い粉砕物を使用して手漉きすることにより、笹粉砕物が不均一に分布している和紙様の模様紙を製造することもできる。
【００３３】
笹成分の配合量には制限はない。笹成分が抽出液である場合は、ｐＨ値を中性乃至弱アルカリ性に調整して、紙原料中に適宜の量で添加される。通常、抄紙原料スラリー中に０．０１〜３０重量％、好ましくは０．１〜１０重量％、より好ましくは２〜１０％の量で添加される。また、笹成分が粉砕物である場合は、特に制限はないが、粗すぎると肌触りが悪くなる。通常５０〜２００メッシュ程度に粒度が調整されことが好ましく、配合量は、一般的には紙原料繊維全体の０．１〜３０重量％、好ましくは２〜１０重量％程度である。
【００３４】
タケ科ササ属の笹の葉から得られる水溶性金属クロロフィリンアルカリ金属塩を含有する笹抽出物（緑色染料）に抗菌消臭効果があることは、すでに特開平9-48925 号公報により知られている。また、タケ科ササ属の笹の葉から得られる水溶性金属クロロフィリンアルカリ金属塩を含有する笹抽出残渣物に抗菌消臭効果があることも、本発明者らはすでに特願平9-134530号により確認している。しかし、笹抽出物や笹抽出残渣物に抗菌消臭効果のみならず、皮膚の脂取り・汚れ取り効果があることは本発明者による新たな発見である。同様に、植物性繊維質がの抗菌消臭効果を有することも知られているが、それが皮膚の脂取り・汚れ取り効果があることは本発明者による新たな発見である。
【００３５】
特に、タケ科ササ属の笹の葉から得られる水溶性金属クロロフィリンアルカリ金属塩を含有する笹成分を脂取り・汚れ取り紙製品に配合することにより、清潔感のある上品な天然の緑色の脂取り・汚れ取り紙が提供される。
さらに、これら笹成分の配合により、さわやかな笹の香りをほのかにつけることができ、リラックス効果も期待できる。
【００３６】
本発明では、笹成分と植物性繊維質の炭化物粉末を併用することができる。使用する植物性繊維質の炭化物は、以下のように製造することができる。
まず、原料の植物性繊維質原料を少なくとも５ｃｍ角以下の形状に整え、水分含量を３０〜８０％に整える。望ましくは水分含量を６０〜８０％に調整すると良い。これに、ベントナイト、モンモリロナイトなど粘土鉱物を１０〜４０％添加して、良く混合する。混合物を適当な大きさに成型し、通常使用される炭化用の釜に入れて、炭化を行う。炭化温度は少なくとも５００℃を超える温度で、望ましくは、炭化時の最終温度が９００℃になるようにするとよい。
【００３７】
このようにして得られる粘土鉱物含有炭は、笹成分と共に紙製品に配合することができる。粘土鉱物含有炭は粉砕して使用されるが、肌触りの点から５０〜２００メッシュ、好ましくは８０〜１５０メッシュに粒度を調整される。粒子が細かすぎると肌触り悪くないが紙への定着性が悪くなる。
８０〜１５０メッシュに粒度を調整して紙に抄き込むと、肌触りは良好で、炭の特性を生かした脂取り・汚れ取り性能のよい紙製品を得ることができる。
【００３８】
植物性繊維質は、そのまま炭化するよりも、上記のようにゼオライト、ベントナイト、モンモリロナイトなどの粘度鉱物のうち少なくともひとつを添加して炭化を行うと、粘度鉱物がセラミックス化されることで触媒的な機能も追加されるため、炭の特性である消臭・抗菌・吸着効果をより強化することができる。
炭の添加量は０．１〜５０％程度まで可能であり、望ましくは２〜５％程度である。
【００３９】
これらの粘土鉱物含有炭を笹成分とともに脂取り・汚れ取り紙製品に配合することにより、その脂取り・汚れ取り効果および消臭・抗菌・吸着効果を高めることができる。粘土鉱物炭はそれだけでも消臭・抗菌・吸着効果を有する脂取り・汚れ取り紙製品を作成することができるが、笹成分と併用することにより、脂取り・汚れ取り効果をさらに向上させることができる。
【００４０】
このようにして製造された抗菌・消臭・吸着性の皮膚用の脂取り・汚れ取り紙は、顔面の皮脂、汗、汚れ、不快臭の除去のみならず、体全体の皮脂、汗、汚れ、不快臭の除去に利用することができる。また、この抗菌・消臭脂取り・汚れ取り紙製品の特性を利用して、例えば、脇の下パッドなどとして利用できるものであるから、高齢化社会において、老人介護の負担は大きな問題となっているので、老人用の体ふきや床じきなどに使用できる。
【００４１】
さらに、この抗菌・消臭・吸着性脂取り・汚れ取り紙製品には、トルマリンやカテキンなどを配合することもでき、これらの配合により消臭などの効果をさらに向上させることができる。これはトルマリンの静電効果や、カテキンの抗酸化効果によるものと考えられている。
また、これらの抗菌・消臭・吸着脂取り・汚れ取り紙製品の技術は、食品用包装紙や鮮度保持剤などにも応用の可能性がある。
【００４２】
【実施例】
以下、実施例により本発明の詳細な説明をするが、本発明はこれらの実施例により限定されるものではない。
実施例１：銅クロロフィリンナトリウム含有クマザサ抽出物（エキス）の製造
タケ科ササ属、チマキザサ節のクマザサの葉２７ｋｇを熱水２９０リッターに浸し、硫酸銅・５水和物２１６ｇを加え、沸点まで加熱した。沸騰させた後、苛性ソーダ３８．５（ｗ／ｖ）％を４リッター添加し、２０分煮沸を続け、煮沸後、クマザサを取り出してよく水洗した。
ついで、熱水８３リッターに上記のように銅置換したクマザサの葉を入れて沸騰させ、３８．５％の苛性ソーダ４リッターを加えて９０分間煮沸し、加水分解することにより、銅クロロフィリンナトリウムを含むクマザサエキスを抽出した。
ついで固液分離を行い、緑色の液体として銅クロロフィリンナトリウムを含むクマザサエキスと、緑色固形分として銅クロロフィリンナトリウムを含む抽出残渣物を得た。
【００４３】
実施例２：クマザサ抽出残渣の炭化
クマザサ抽出残渣物の粘土鉱物配合炭の製造を行った。実施例１で製造された銅クロロフィリンナトリウムを含むクマザサ抽出残渣物の水分含量は７０％〜８０％であった。これを５ｃｍ程度に裁断し、ベントナイト２０％を添加して、ホッパー中で良く混合した。混合物は、（株）日比野染工社製のロータリーキルン中に直径１〜２ｃｍ程度になるように絞り出し、炭化を行った。炭化は約４時間で終了し、最終的には釜内の温度は９００℃程度まで上昇した。
【００４４】
実施例３：銅クロロフィリンナトリウム含有クマザサエキス配合の皮膚の脂取り・汚れ取り用抗菌・消臭・吸着性紙製品
下記の紙料をパルパーにて溶解・刃締めを行い、実施例１で得た銅クロロフィリンナトリウム含有クマザサエキス、定着剤を添加し均一分散させ、円網ヤンキー式抄紙機にて、坪量２０ｇ／ｍ2 の紙を抄造した。抄紙後スーパーカレンダー処理を行った。
0004020282.tif 000002
【００４５】
実施例４：銅クロロフィリンナトリウム含有抽出残渣物配合の皮膚の脂取り・汚
れ取り用抗菌・消臭・吸着性紙製品
実施例１にて製造した、銅クロロフィリンナトリウム含有クマザサ抽出残渣物を粉砕し、５０〜１５０メッシュ程度にそろえた。下記の紙料をパルパーにて溶解・刃締めを行い、銅クロロフィリンナトリウム含有クマザサ抽出残渣物、定着剤を添加して均一分散させ、円網ヤンキー式抄紙機にて、秤量２０ｇ／ｍ2 の紙を抄造した。抄紙後スーパーカレンダー処理を行った。
マニラ麻                                            ２５０ｋｇ
パルプ                                              １００ｋｇ
銅クロロフィリンナトリウム含有クマザサ抽出残渣            １０ｋｇ
硫酸バンド                                              ７リッター
定着剤〔パルフィックスＰ−８１０（明成化学）〕          １リッター
【００４６】
実施例５：銅クロロフィリンナトリウム含有クマザサ抽出残渣物及びクマザサ抽出残渣物炭化物配合の皮膚の脂取り・汚れ取り用抗菌・消臭・吸着性
紙製品
実施例１にて製造した、銅クロロフィリンナトリウム含有クマザサ抽出残渣物を粉砕し、５０〜１５０メッシュ程度にそろえた。また、実施例２にて製造した、クマザサ抽出残渣物炭化物を粉砕し、５０〜１５０メッシュ程度にそろえた。下記の紙料をパルパーにて溶解・刃締めを行い、銅クロロフィリンナトリウム含有クマザサ抽出残渣物粉砕物、クマザサ抽出残渣物炭化物の粉砕物、定着剤を添加し均一分散させ、円網ヤンキー式抄紙機にて、坪量２０ｇ／ｍ2 の紙を抄造した。抄紙後スーパーカレンダー処理を行った。
【００４７】
マニラ麻                                            ２５０ｋｇ
パルプ                                              １００ｋｇ
銅クロロフィリンナトリウム含有クマザサ抽出残渣物      １０ｋｇ
クマザサ抽出残渣炭化物                                  ５ｋｇ
硫酸バンド                                              ７リッター
定着剤〔パルフィックスＰ−８１０（明成化学）〕          １リッター
【００４８】
実施例６：クマザサ抽出残渣物の炭化物配合の皮膚の脂取り・汚れ取り用抗菌・消臭・吸着性紙製品
実施例２にて製造した、クマザサ抽出残渣物の炭化物を粉砕し、５０〜１５０メッシュ程度にそろえた。下記の紙料をパルパーにて溶解・刃締めを行い、クマザサ抽出残渣物の炭化物粉砕物、定着剤を添加し均一分散させ、円網ヤンキー式抄紙機にて、坪量２０ｇ／ｍ2 の紙を抄造した。抄紙後スーパーカレンダー処理を行った。
【００４９】
マニラ麻                                            ２５０ｋｇ
パルプ                                              １００ｋｇ
クマザサ抽出残渣炭化粉砕物                            ３５ｋｇ
定着剤〔セラフィックスＳＴ（明成化学）〕              ２４リッター
【００５０】
実施例７：竹炭配合の皮膚の脂取り・汚れ取り用抗菌・消臭・吸着性紙製品
竹炭を粉砕し、５０〜１５０メッシュ程度にそろえた。下記の紙料をパルパーにて溶解・刃締めを行い、竹炭粉砕物、定着剤を添加し均一分散させ、円網ヤンキー式抄紙機にて、坪量２０ｇ／ｍ2 の紙を抄造した。抄紙後スーパーカレンダー処理を行った。
【００５１】
マニラ麻                                              ２５ｋｇ
パルプ                                              １００ｋｇ
竹炭粉末                                              ５０ｋｇ
定着剤〔セラフィックスＳＴ（明成化学）〕              ２４ｋｇ
【００５２】
実施例８：銅クロロフィリンナトリウム含有クマザサエキス配合の皮膚の脂取り・汚れ取り用抗菌・消臭・吸着性紙製品の使用テスト結果
実施例３で製造された銅クロロフィリンナトリウム含有クマザサエキス配合の皮膚用の脂取り・汚れ取り紙について、女性９名、男性３名の合計１２名のパネラーを使って、使用試験を行った。
試験項目は、脂の取れ具合、吸脂の確認性、肌触り、総合評価の４項目で行った。評価方法は、ブランクとして無配合（白）の脂取り・汚れ取り紙を用いて、このブランクの使用感を「３．普通」とした場合、クマザサエキス配合に脂取り・汚れ取り紙の使用感を「５．良好」から「１．悪い」まで、５段階評価する方法で行った。評価結果を表１に示す。
【００５３】
使用テストの結果、脂取り・汚れ取り紙に銅クロロフィリン含有クマザサエキスを配合することにより、未配合のものと比較して、８３％のパネラーが脂の取れ具合が向上したと回答している。また、吸脂の確認性についても未配合のものと比較して、９２％のパネラーが向上したと回答している。肌触りに関しても、６７％のパネラーが向上したと回答している。総合評価では、３３％のパネラーが無配合品と比較して良好であると回答しており、５０％のパネラーがやや良好であると回答している。
これらの結果から、脂取り・汚れ取り紙に銅クロロフィリン含有クマザサエキスを配合することにより、脂取り・汚れ取り効果が向上することが確認された。また、肌触りなどの脂取り・汚れ取り紙に必要な特性も、銅クロロフィリン含有クマザサエキス配合により向上することが確認された。
【００５４】
【表１】
0004020282.tif 000003
【００５５】
実施例９：銅クロロフィリンナトリウム含有クマザサエキス配合の皮膚の脂取り・汚れ取り用抗菌・消臭・吸着性紙製品の抗菌試験
実施例３で製造された銅クロロフィリンナトリウム含有クマザサエキス配合の皮膚用の脂取り・汚れ取り紙について、繊維製品衛生加工協議会の抗菌加工評価試験法である統一試験法により試験を行い、評価を行った。
この方法は、銅クロロフィリン含有クマザサエキス配合の脂取り・汚れ取り紙と無加工試料を着用時に近い条件で、菌の増殖に対する抑制効果を、増減値あるいは増減値差として比較測定する方法である。試験菌種として、黄色葡萄状球菌(Staphylococcus aureus ATCC 6538P)、大腸菌(Escherichia coli IFO3301)、緑膿菌(Pseudomonas aeruginosa IPO 3080)を使用した。滅菌試料Ｏ．４ｇにそれぞれに菌数が１〜３×１０4 個／ｍｌとなるように調整した試験菌の液体培養液０．２ｍｌを注加し、密閉容器中で３７℃、１８時間培養後の生菌数を測定し、植菌数と比較して、静菌活性を求めた。
【００５６】
表２には、黄色葡萄状球菌の静菌活性について示した。黄色葡萄状球菌に対する、抗菌防臭加工製品の評価基準値は、静菌活性値が２．２以上であることが目安とされている。銅クロロフィリン含有クマザサエキス配合の脂取り・汚れ取り紙の静菌活性値は、４．８であり、この基準値を大きく上回る。無加工脂取り・汚れ取り紙の静菌活性値が０．２であり、銅クロロフィリン含有クマザサエキス配合の有無により、静菌活性値に大きな差が認められることが確認された。
【００５７】
表３には、大腸菌の静菌活性について示した。銅クロロフィリン含有クマザサエキス配合脂取り・汚れ取り紙の静菌活性値は、４．４であった。無加工脂取り・汚れ取り紙の静菌活性値は０．１であり、銅クロロフィリン含有クマザサエキス配合の有無により、静菌活性値に大きな差が認められることが確認された。
【００５８】
表４には、緑膿菌の静菌活性について示した。銅クロロフィリン含有クマザサエキス配合脂取り・汚れ取り紙の静菌活性値は、３．７であった。無加工の脂取り・汚れ取り紙の静菌活性値は０であり、銅クロロフィリン含有クマザサエキス配合の有無により、静菌活性値に大きな差が認められることが確認された。
これらの結果から、脂取り・汚れ取り紙に銅クロロフィリン含有クマザサエキスを配合することにより、皮膚上などに存在する黄色葡萄状球菌、大腸菌、緑膿菌に対して抗菌活性を付与できることが確認された。
【００５９】
【表２】
0004020282.tif 000004
【００６０】
【表３】
0004020282.tif 000005
【００６１】
【表４】
0004020282.tif 000006
【００６２】
実施例１０：銅クロロフィリンナトリウム含有クマザサエキス配合の皮膚用の脂取り・汚れ取り紙の消臭試験
実施例３で製造した銅クロロフィリンナトリウム含有クマザサエキス配合脂取り・汚れ取り紙の酢酸に対する消臭効果を確かめるために、消臭試験を行った。
銅クロロフィリンナトリウム含有クマザサエキス配合脂取り・汚れ取り紙（１０ｃｍ×１０ｃｍ）を内容積５００ｍｌのガラスボトルに入れた。ガラスボトルにアンモニアを１００ｐｐｍになるように注入し、５分後、１０分後、３０分後、６０分後におけるガラスボトル中の酢酸濃度の測定を行った。酢酸濃度測定はガステック社製ガス検知管を用いて行った。
各時間における、酢酸の残存率を表５に示した。
表５から、たばこの煙や汗の分解物に含まれる臭気である酢酸を、銅クロロフィリンナトリウム含有クマザサエキス配合脂取り・汚れ取り紙製品が効率的に消臭していることが確認された。
【００６３】
【表５】
0004020282.tif 000007
【００６４】
実施例１１：竹炭配合脂取り・汚れ取り紙製品の消臭試験
実施例７で製造した竹炭配合脂取り・汚れ取り紙のアンモニアに対する消臭効果を確かめるために、消臭試験を行った。竹炭配合脂取り・汚れ取り紙（３０ｃｍ×３０ｃｍ）を内容積１１．４リッターのガラスボトルに入れた。ガラスボトルの底部には攪拌装置がついており、周期が均一になるように設定されている。ガラスボトルにアンモニアを１００ｐｐｍになるように注入し、１０分後、３０分後、６０分後、１２０分後におけるガラスボトル中のアンモニア濃度の測定を行った。アンモニア濃度測定はガステック社製ガス検知管を用いて行った。
各時間における、アンモニアの残存率を表６に示した。表６から、たばこの煙や尿・汗の分解物に含まれる臭気であるアンモニアを、竹炭配合脂取り・汚れ取り紙製品が効率的に消臭していることが確認された。
【００６５】
【表６】
0004020282.tif 000008
【００６６】
【発明の効果】
以上の実施例からも明らかなように、タケ科ササ属の笹から得られる笹成分、あるいは水溶性金属クロロフィリンアルカリ金属塩を含有する笹成分を脂取り・汚れ取り紙製品に配合することにより、脂取り・汚れ取り効果が高まったり、抗菌・消臭効果が得られることが確認された。
さらに、これら笹成分の配合により、清潔感のある上品な天然の緑色の脂取り・汚れ取り紙になるため、心地よい使用感が得られる。さらに、さわやかな笹の香りをほのかにつけることができ、リラックス効果も期待できる。
【００６７】
また、脂取り・汚れ取り紙製品に上記の笹成分とともに、ベントナイト、モンモリロナイトなどの粘度鉱物のうち少なくともひとつを添加して炭化した炭化物を配合すると、よりその脂取り・汚れ取り効果を高めることができる。植物性繊維質は、そのまま炭化するよりも、ベントナイト、モンモリロナイトなどの粘度鉱物のうち少なくともひとつを添加して炭化を行うと、粘度鉱物がセラミックス化されることで触媒的な機能も追加されるため、炭の特性である消臭・抗菌・吸着効果をより強化することができる。
【００６８】
これらの粘土鉱物炭を笹成分とともに脂取り・汚れ取り紙製品に配合すると、よりその脂取り・汚れ取り効果および消臭・抗菌・吸着効果を高めることができるが、粘土鉱物炭だけでも、消臭・抗菌・吸着効果を有する脂取り・汚れ取り紙製品を作成することができる。
粘度鉱物配合炭を微粉砕し、脂取り・汚れ取り紙製品に漉き込むことで、炭の消臭・吸着特性を生かした脂取り・汚れ取り紙を作成することができる。粘度鉱物配合炭を微粉砕し、脂取り・汚れ取り紙製品に漉き込むことで、紙の厚さが薄手〜やや厚手まで調整でき、十分に消臭・吸着効果が発揮できる脂取り・汚れ取り紙製品を作成することができる。
【００６９】
このようにして作成された抗菌・消臭・吸着脂取り・汚れ取り紙製品は、顔面の皮脂、汗、汚れ、不快臭の除去のみならず、体全体の皮脂、汗、汚れ、不快臭の除去に利用することができる。また、高齢化社会において、老人介護の負担は大きな問題となっているが、頭皮の脂や汚れ取り、脇の下パッドなどとして利用できるにで、この抗菌・消臭脂取り・汚れ取り紙製品の特性を利用して、老人用の体ふきや床じきなどに使用できる。
また、これらの抗菌・消臭・吸着脂取り・汚れ取り紙製品の技術は、食品用包装紙や鮮度保持剤などにも応用の可能性がある。